(57)【要約】【課題】偏光手段の偏光方向を迅速かつ正確に設定する。【解決手段】アナライザ装置５１のアナライザ２８は、本体部６１に光軸回りに回転自在に設けられ、光軸回りの回転に伴い透過する光の振動方向である偏光方向が回転する。ダイアル６２は、ダイアル６２の中心を通る鉛直方向の軸回りに回転自在に本体部６１に設けられ、回転されるのに伴いアナライザ２８を光軸回りに回転させる。ダイアル６２の表面に貼付されている銘板６３には、ダイアル６２の回転方向の位置に対応して設定されるアナライザ２８の偏光方向を示す矢印６３ａ乃至６３ｈが表示されている。本発明は、例えば、位相差顕微鏡のアナライザ装置に適用できる。【選択図】図３
2010066534.tif 000002
【特許請求の範囲】
【請求項１】
光軸回りに回転自在に設けられ、光軸回りの回転に伴い透過する光の振動方向である偏光方向が回転する偏光手段と、
所定の軸回りに回転自在に設けられ、回転されるのに伴い前記偏光手段を光軸回りに回転させる操作手段と
を備え、
前記操作手段の回転方向の位置に対応して設定される前記偏光手段の前記偏光方向を示す、一方向に長い図形が、前記操作手段の表面または前記操作手段の周辺の少なくとも一方に表示されている
ことを特徴とする顕微鏡用偏光装置。
【請求項２】
前記操作手段の回転に伴い、前記操作手段と同じ角度だけ前記偏光手段が回転する
ことを特徴とする請求項１に記載の顕微鏡用偏光装置。
【請求項３】
前記操作手段の回転に伴い、前記操作手段の半分の角度だけ前記偏光手段が回転する
ことを特徴とする請求項１に記載の顕微鏡用偏光装置。
【請求項４】
前記操作手段は、点対称の形状を有し、前記操作手段の外周に沿って、前記偏光手段の前記偏光方向を示す複数の前記図形が表示されており、
互いに直交する方向を示す２つの前記図形が、前記操作手段の形状における対称点を介して対向する位置に表示されている
ことを特徴とする請求項３に記載の顕微鏡用偏光装置。
【請求項５】
前記操作手段には、互いに直交する方向を示す２つの前記図形を結ぶ線分がさらに表示されている
ことを特徴とする請求項４に記載の顕微鏡用偏光装置。
【請求項６】
互いに直交する方向を示す前記図形のペアが同じ色で表示され、かつ、前記ペアごとに異なる色で前記図形が表示されている
ことを特徴とする請求項４に記載の顕微鏡用偏光装置。
【請求項７】
前記操作手段の外周に沿って前記操作手段の表面に、指す方向が異なる複数の前記図形が表示され、前記図形が指す方向は、前記操作手段の回転に伴い所定の位置に前記図形が来た場合に設定される前記偏光手段の前記偏光方向をそれぞれ示している
ことを特徴とする請求項１に記載の顕微鏡用偏光装置。
【請求項８】
対物レンズと接眼レンズとの間の光路上に、請求項１乃至７のいずれかに記載の顕微鏡用偏光装置が配設されている
ことを特徴とする顕微鏡。
【請求項９】
標本に照射する照明光を通過させる輪帯状の開口部を有するリング絞りと、
前記リング絞りの前記開口部を通過した前記照明光のうち、前記標本を透過する際に分散せずに直進する光をカットする遮光リングと
をさらに備えることを特徴とする請求項８に記載の顕微鏡。
【発明の詳細な説明】
【技術分野】
【０００１】
本発明は、顕微鏡用偏光装置および顕微鏡に関し、特に、位相差顕微鏡を用いた分散染色法によりアスベストの測定を行う場合に用いて好適な顕微鏡用偏光装置および顕微鏡に関する。
【背景技術】
【０００２】
従来、建材製品中のアスベストの有無を確認する定性分析の一手法として、位相差顕微鏡を用いた分散染色法が知られている（例えば、特許文献１参照）。ここで、位相差顕微鏡を用いた分散染色法について簡単に説明する。
【０００３】
位相差顕微鏡を用いた分散染色法では、アスベストなどの繊維状粒子を含む試料を分散染色用浸液（以下、単に浸液と称する）に浸し、浸液に浸した試料に対して、リング絞りを備えた照明光学系により白色の照明光をケーラー照明する。
【０００４】
ここで、光は、波長が短いほど屈折率が高く、波長が長いほど屈折率が低くなるため、屈折率が異なる媒質を通過する際に分散する性質を有している。また、入射光の波長に対する屈折率の特性を示す分散特性は、媒質の種類により異なる。従って、試料に含まれる繊維状粒子に照射された照明光のうち、繊維状粒子と浸液の屈折率が一致する波長付近の光（以下、透過光と称する）のみが分散せずに直進し、他の波長の光（以下、分散光と称する）は分散する。
【０００５】
繊維状粒子からの透過光および分散光は、位相差顕微鏡に設けられている分散対物レンズに入射される。分散対物レンズは、照明光学系のリング絞りと共役な位置に配置された遮光リングを備えており、繊維状粒子からの透過光をカットし、分散光のみを透過する。さらに、分散対物レンズを透過した分散光は、アナライザに入射され、特定の振動方向の成分のみがアナライザを透過する。なお、以下、アナライザが透過する光の振動方向を偏光方向と称する。
【０００６】
そして、アナライザを透過した特定の振動方向の分散光を、結像レンズにより集光し、接眼レンズを介して観察すると、白色の照明光から透過光を除いた光である分散光を合成した色（以下、分散色と称する）により繊維状粒子が染色されたように見える。
【０００７】
従って、繊維状粒子と浸液の組み合わせにより、観察される分散色およびその明るさが異なる。一般に、繊維状粒子と浸液の屈折率の差が大きいほど明るい分散色を呈し、特に、屈折率の差が大きい赤色や青色の波長域で鋭敏な分散色が観察される場合が多い。
【０００８】
また、アスベストの種類により鋭敏な分散色を観察できる浸液が分かっている。例えば、アスベストの一種であるクリソタイルは、25℃、ｄ線における屈折率ndが1.550の浸液（以下、浸液Ａと称する）を用いた場合、赤紫色〜青色の鋭敏な分散色を呈することが分かっている。また、アスベストの一種であるアモサイトは、屈折率ndが1.680の浸液（以下、浸液Ｂと称する）を用いた場合、桃色の鋭敏な分散色を呈することが分かっている。さらに、アスベストの一種であるクロシライドは、屈折率ndが1.700の浸液（以下、浸液Ｃと称する）を用いた場合、青色の鋭敏な分散色を呈することが分かっている。
【０００９】
一方、アスベストと分散特性が異なる繊維状粒子は、浸液Ａ乃至Ｃに浸しても、鋭敏な分散色を呈さない。従って、浸液Ａ乃至Ｃに試料を浸し、試料に含まれる繊維状粒子の分散色を観察することにより、上述したクリソタイル、アモサイト、クロシライドなどのアスベストと、分散特性が異なる他の繊維状粒子を区別することができる。しかし、アスベストと分散特性が似ている繊維状粒子は、アスベストと似た分散色を呈するため、アスベストと区別することが難しい。
【００１０】
ところで、アスベストは複屈折性を有する光学的異方体であり、アスベストを透過して分散した光は、アスベストの伸張方向（繊維の長手方向）に対して平行な方向に振動する光（以下、伸張平行光と称する）と直交する方向に振動する光（以下、伸張直交光と称する）に分かれて進む。この伸張平行光と伸張直交光の分散特性は異なり、この２つの分散特性を示す分散曲線は、可視光の波長域においてほぼ平行となり、交わらない。従って、この２つの分散曲線と浸液の分散曲線が交差する波長が異なる。すなわち、伸張平行光と浸液の屈折率が一致する波長と、伸張直交光と浸液の屈折率が一致する波長とが異なる。
【００１１】
従って、アナライザにより、伸張平行光のみを透過した場合の分散色と、伸張直交光のみを透過した場合の分散色は異なる。また、アスベストの種類により複屈折作用は異なり、伸張平行光と伸張直交光の分散色は予め分かっている。例えば、アモサイトが浸液Ｂに浸されている場合、アナライザを用いないときの分散色は桃色になり、アナライザの偏光方向をアモサイトの伸張方向と平行な方向に設定したときの分散色は橙色になり、アナライザの偏光方向をアモサイトの伸張方向と直交する方向に設定したときの分散色は青色になることが分かっている。
【００１２】
一方、ロックウールなどの複屈折性を有しない光学的等方体の場合、アナライザの偏光方向を変えても、分散色はほとんど変化しない。
【００１３】
従って、アナライザの偏光方向を、繊維状粒子の伸張方向に平行な方向に設定した場合の分散色と直交する方向に設定した場合の分散色とを観察することにより、アスベストの同定をより正確に行うことができる。
【００１４】
ところで、従来、アナライザとアナライザの偏光方向を調整するダイアルとを備え、ダイアルに０°から１８０°までの偏光方向の角度を示す数字を表示したアナライザ装置が市販されている。例えば、ユーザは、そのアナライザ装置を用いて、繊維状粒子の伸張方向に平行な方向にアナライザの偏光方向を設定し、繊維状粒子の分散色を観察した後、ダイアルに表示された数字を見ながらダイアルを回し、繊維状粒子の伸張方向に直交する方向にアナライザの偏光方向を設定し、繊維状粒子の分散色を観察することにより、アスベストの同定を行う。
【００１５】
【特許文献１】特開２００５−３３８５６７号公報
【発明の開示】
【発明が解決しようとする課題】
【００１６】
ところで、「JIS A 1481：2008 建材製品中のアスベスト含有率測定方法」には、アスベストの定性分析を行う際に、１つの分析試料について、試料を浸液Ａ乃至Ｃにそれぞれ浸した標本を３つずつ合計９個作製し、繊維状粒子を含む粒子を１標本あたり1000個観察することが規定されている。すなわち、観察者は、１つの分析試料について、合計9000個もの粒子を観察しなければならない。
【００１７】
従って、上述したように、ダイアルに示された数字を見ながらアナライザの偏光方向を設定する場合、設定方向を頭の中などで計算する必要があり、余分な時間を要したり、作業時間が長くなるにつれて設定ミスが増加したりすることが考えられる。
【００１８】
本発明は、このような状況に鑑みてなされたものであり、アナライザの偏光方向を迅速かつ確実に設定できるようにするものである。
【課題を解決するための手段】
【００１９】
本発明の第１の側面の顕微鏡用偏光装置は、光軸回りに回転自在に設けられ、光軸回りの回転に伴い透過する光の振動方向である偏光方向が回転する偏光手段と、所定の軸回りに回転自在に設けられ、回転されるのに伴い前記偏光手段を光軸回りに回転させる操作手段とを備え、前記操作手段の回転方向の位置に対応して設定される前記偏光手段の前記偏光方向を示す、一方向に長い図形が、前記操作手段の表面または前記操作手段の周辺の少なくとも一方に表示されている。
【００２０】
本発明の第２の側面の顕微鏡は、対物レンズと接眼レンズとの間の光路上に、本発明の第１の側面の顕微鏡用偏光装置が配設されている。
【００２１】
本発明の第１の側面または第２の側面においては、操作手段を回転させることにより偏光手段が回転し、操作手段の表面または操作手段の周辺の少なくとも一方に表示されている一方向に長い図形により、偏光手段が透過する光の振動方向である偏光方向が示される。
【発明の効果】
【００２２】
本発明の第１の側面によれば、偏光手段の偏光方向を迅速かつ確実に設定することができる。
【００２３】
本発明の第２の側面によれば、偏光手段の偏光方向を迅速かつ確実に設定し、偏光した標本の像を拡大して観察することができる。
【発明を実施するための最良の形態】
【００２４】
以下、図面を参照して本発明を適用した実施の形態について説明する。
【００２５】
まず、図１および図２を参照して、本発明を適用した光学顕微鏡の一実施の形態について説明する。なお、図１は、本発明を適用した光学顕微鏡１を模式的に示す全体構成図であり、図２は、光学顕微鏡１の概略的な光路図である。
【００２６】
光学顕微鏡１は、正立型であり、基台１１、直立ベース１２、アーム１３、照明レンズユニット１４、試料ステージ１５、ステージ駆動部１６、レボルバ１７、分散対物レンズ１８、観察鏡筒１９および接眼レンズ鏡筒２０を備える。基台１１には、直立ベース１２が立設され、直立ベース１２の上部には、アーム１３が水平に延出している。基台１１の後面（図中、左側）には、光源部１１ａが設けられている。直立ベース１２の前面には、照明レンズユニット１４とステージ駆動部１６が固設されている。ステージ駆動部１６は、標本Ｓを載置する試料ステージ１５を光軸ＡＸ方向に上下させるとともに、光軸ＡＸ回りに回転可能に保持している。アーム１３の先端下部には、分散対物レンズ１８を光路に挿脱するレボルバ１７が設けられ、アーム１３の先端上部には、観察鏡筒１９が設けられている。観察鏡筒１９の先端部には、接眼レンズ鏡筒２０が接続されている。
【００２７】
以下、光路に沿って光学系の配置を説明する。光源部１１ａには、光源２１（例えば、白色光を発するハロゲンランプやタングステンランプ）が収納されている。基台１１の内部には、コリメータレンズ２２と照明光を上方へ反射するミラー２３が収納されている。照明レンズユニット１４には、リング絞り２４とコンデンサレンズ２５が保持されている。なお、光源２１からコンデンサレンズ２５までが照明装置に含まれる。
【００２８】
分散対物レンズ１８は、レンズ２６と遮光リング２７を有している。観察鏡筒１９には、アナライザ２８、デポラライザ２９、結像レンズ３０およびプリズム３１が配設されている。なお、アナライザ２８は、図３および図４を参照して後述するように、アナライザ装置（図１および図２では不図示）に光軸ＡＸ回りに回転自在に設けられている。また、プリズム３１は、プリズム３１に到達した光を２つに分離して、一方を接眼レンズ３２へ、他方を不図示の撮像装置へ導くように配設されている。
【００２９】
ここで、図２を参照して、光学顕微鏡１の光学系の作用を説明する。光源２１から射出した照明光Ｌ１は、コリメータレンズ２２により平行光束となり、リング絞り２４に入射する。リング絞り２４は、図２（ｂ）に示されるように、輪帯状（リング状）の開口部２４ａを有する。照明光Ｌ１は、リング絞り２４の開口部２４ａを通過した後に、コンデンサレンズ２５により標本Ｓに向かい、標本Ｓをケーラー照明する。照明光Ｌ１が標本Ｓを照明することにより、標本Ｓを直接透過する透過光（０次の分散光ともいう）および標本Ｓにより分散される分散光が生じる。すなわち、標本Ｓからの光Ｌ２としては、透過光および分散光があり、図中、透過光を破線で、分散光を実線で表わす。なお、符号ＡＸは、標本Ｓからの光Ｌ２の光軸を表わす。
【００３０】
標本Ｓからの光Ｌ２、すなわち透過光および分散光は、レンズ２６に入射し、リング絞り２４と共役な位置に配置された遮光リング２７に入射する。遮光リング２７には、図２（ｃ）に示されるように、リング絞り２４の開口部２４ａに対応する位置に遮光部２７ａが形成されている。
【００３１】
対物レンズ内に遮光リング２７を設けたものは、分散対物レンズと呼ばれ、通常の位相差対物レンズに用いられる位相リングの透過率を０％としたものである。なお、この分散対物レンズ１８には、標本Ｓの像を無限遠に結像する対物レンズを用いている。従って、透過光、すなわち、リング絞り２４の開口部２４ａを通過した照明光のうち、標本Ｓを透過する際に分散せずに直進する光は、遮光リング２７の遮光部２７ａでカットされ、分散光のみが遮光リング２７を透過して、アナライザ２８へ入射する。
【００３２】
アナライザ２８は、分散光の中から特定の振動方向の光のみを透過させる。すなわち、アナライザ２８を光軸ＡＸ回りに回転させることにより、様々な振動方向の入り混じった光から特定の回転角で特定の直線偏光の光のみを分離選択することができる。従って、アナライザ２８を介して分散光を１次像面Ｉに結像し、接眼レンズ３２によって観察すれば、標本Ｓの特定の振動方向での状態（色調、形状など）を明瞭に知ることができる。なお、アナライザ２８は、光路に沿って標本Ｓよりも後方であれば任意の位置に配設することができるが、平行光束となっている分散対物レンズ１８と結像レンズ３０の間に配設するのが望ましい。
【００３３】
アナライザ２８を透過した直線偏光の分散光は、デポラライザ２９に入射する。デポラライザ２９は、直線偏光の分散光の偏光面を回転し、円偏光とする。デポラライザ２９を配設することによって、直線偏光光の振動方向に依存する光学特性の差を解消して等方的とすることができる。例えば、プリズム３１の反射率は振動方向により異なるが、直線偏光光を円偏光光とすることによって、振動方向に依存せずに標本像を観察することができる。デポラライザ２９は、分散光の進行方向において、アナライザ２８の後ろ側の任意の位置に配設できるが、アナライザ２８と結像レンズ３０の間に配設するのが望ましい。
【００３４】
デポラライザ２９を透過した円偏光または楕円偏光の分散光は、結像レンズ３０により１次像面Ｉ上に結像する。ゆえに、標本Ｓと１次像面Ｉとが共役となる。この標本像を接眼レンズ３２によって観察すれば、上述したように標本Ｓに含まれるアナライザなどの特定の繊維状粒子が分散色により染色されたように見える。もちろん、標本像を撮像装置（例えば、デジタルカメラ）で撮像し、その画像をディスプレイに表示するようにしてもよい。
【００３５】
ユーザは、上述したように、微小な繊維状粒子を拡大して伸張方向が把握できる状態で、繊維状粒子の伸張方向に平行な方向および直交する方向にアナライザ２８の偏光方向を調整しながら、各繊維状粒子の分散色を観察し、標本Ｓに含まれるアスベストの同定を行う。
【００３６】
次に、アナライザ２８を備えるアナライザ装置の詳細について説明する。
【００３７】
図３は、アナライザ２８を備えるアナライザ装置の第１の実施の形態を上から見た外観図である。図３のアナライザ装置５１においては、長方形の板状の本体部６１に、アナライザ２８とダイアル６２が設けられている。
【００３８】
より具体的には、本体部６１の長手方向の一方の端部（図内の左端）には、アナライザ２８とほぼ同径の開口部６１ａが形成されている。また、本体部６１の開口部６１ａの図内で右隣には、アナライザ２８が円周方向に回転自在に設けられている。すなわち、アナライザ２８が光軸回りに回転自在に本体部６１に設けられ、アナライザ２８の光軸回りの回転に伴い、図内の矢印Ａ１で示されるアナライザ２８の偏光方向が光軸回りに回転する。なお、以下、図３において矢印Ａ１により示される方向を０°とし、時計回りの方向を正の方向とする。また、矢印Ａ１は説明のために示したものであり、実際にアナライザ２８に表示されることはない。
【００３９】
本体部６１の長手方向の端部であって、開口部６１ａが形成されている端部と異なる端部（図内の右端）には、ダイアル６２が円周方向に回転自在に設けられている。換言すれば、ダイアル６２は、ダイアル６２の中心を通る鉛直方向の軸回りに回転自在に本体部６１に設けられている。また、ダイアル６２は、ユーザが回転させやすいように、本体部６１の右端から少しはみ出るように設置されている。
【００４０】
アナライザ２８とダイアル６２とは、図示せぬベルト等により連接されており、ダイアル６２を回転させると、アナライザ２８が同じ方向に回転する。換言すると、ダイアル６２は、回転されるのに伴いアナライザ２８を光軸回りに同じ方向に回転させる。ただし、アナライザ２８とダイアル６２の回転量は異なり、ダイアル６２の回転に伴い、ダイアル６２の半分の角度だけアナライザ２８が回転する。従って、ダイアル６２を１回転させると、アナライザ２８がダイアル６２と同じ方向に１８０°回転し、ダイアル６２を２回転させると、アナライザ２８がダイアル６２と同じ方向に３６０°回転する。
【００４１】
ダイアル６２の上面（表面）には銘板６３が貼付され、本体部６１のダイアル６２の左隣には、銘板６３に対応した銘板６４が貼付されている。銘板６３には、外周に沿って４５°の間隔で、指す方向が異なる複数の矢印６３ａ乃至６３ｈが表示されている。
【００４２】
銘板６４には、銘板６３に対応した目盛り６４ａが表示されている。目盛り６４ａには、Ａの文字が示されている指標ｉ３を中心とする９０°の範囲内の角度を、２２．５°刻みで示す指標ｉ１乃至ｉ５が示されている。すなわち、指標ｉ１は、指標ｉ３から時計回りに４５°回転した位置を示し、指標ｉ１に示した矢印を指標ｉ３の位置に回転移動させることで、アナライザ２８が２２．５°回転することを示す。また、指標ｉ２は、指標ｉ３から時計回りにダイアル６２が２２．５°回転した位置を示し、指標ｉ４は、指標ｉ３から反時計回りにダイアル６２が２２．５°回転した位置を示し、指標ｉ５は、指標ｉ３から反時計回りにダイアル６２が４５°回転した位置を示している。
【００４３】
銘板６３の矢印６３ａ乃至６３ｈの指す方向は、ダイアル６２の回転に伴い目盛り６４ａの指標ｉ３の位置に各矢印が来た場合に設定されるアナライザ２８の偏光方向をそれぞれ示している。例えば、目盛り６４ａの指標ｉ３の位置に矢印６３ａが来るようにダイアル６２の回転方向の位置を設定した場合、アナライザ２８の偏光方向は０°に設定される。同様に、目盛り６４ａの指標ｉ３の位置に矢印６３ｂ、矢印６３ｃ、矢印６３ｄ、矢印６３ｅ、矢印６３ｆ、矢印６３ｇ、または、矢印６３ｈが来るようにダイアル６２の回転方向の位置を設定した場合、アナライザ２８の偏光方向は、それぞれ、２２．５°、４５°、６７．５°、９０°、１１２．５°、１３５°、または、１５７．５°に設定される。
【００４４】
なお、ダイアル６２の中心を中心にして対向する位置にある矢印のペア（例えば、矢印６３ａと矢印６３ｅ）は、互いに直交する方向を指している。換言すれば、互いに直交する方向を示す２つの矢印が、ダイアル６２の形状における対象点であるダイアル６２の中心を介して対向する位置に表示されている。
【００４５】
また、例えば、目盛り６４ａの指標ｉ２の位置に矢印６３ａが来るようにダイアル６２の回転方向の位置を設定した場合、アナライザ２８の偏光方向は１１．２５°に設定され、目盛り６４ａの指標ｉ４の位置に矢印６３ａが来るようにダイアル６２の回転方向の位置を設定した場合、アナライザ２８の偏光方向は１６８．７５°に設定される。
【００４６】
このように、アナライザ装置５１においては、アナライザ２８の偏光方向を１１．２５°刻みで正確に設定することができる。なお、銘板６３に矢印を表示する間隔を狭めたり、目盛り６４ａの指標の間隔を狭めることにより、さらにアナライザ２８の偏光方向を細かく設定することが可能になる。
【００４７】
また、銘板６４には、アナライザ２８の偏光方向を、繊維状粒子の伸張方向と平行な方向に設定して分散色を観察した後に、繊維状粒子の伸張方向と直交する方向に設定して分散色を観察することを案内するガイダンス６４ｂが表示されている。
【００４８】
さらに、本体部６１の辺６１ｂには、Ｖ溝６１ｃ乃至６１ｅが設けられている。アナライザ装置５１は、例えば、図内の表の面、すなわち、ダイアル６２が設けられている面を上にして、本体部６１の開口部６１ａが設けられている方の長手方向の端部から、観察鏡筒１９に挿入され、光学顕微鏡１に装着される。このとき、アナライザ装置５１は、観察鏡筒１９に納められた光学系の光軸に対して直交する方向に挿入される。Ｖ溝６１ｃおよび６１ｄは、その際のアナライザ装置５１の位置決めをするためのものである。具体的には、光学顕微鏡１の光路に開口部６１ａを挿入する場合、Ｖ溝６１ｃを用いてアナライザ装置５１の位置を設定し、光学顕微鏡１の光路にアナライザ２８を挿入する場合、Ｖ溝６１ｄを用いてアナライザ装置５１の位置を設定する。また、Ｖ溝６１ｅは、ダイアル６２に銘板６３を貼付する場合に、銘板６３の位置決めをするための指標として用いられる。
【００４９】
ユーザは、このアナライザ装置５１を用いることにより、設定されているアナライザ２８の偏光方向を一目で把握することができるとともに、アナライザ２８の偏光方向を所望の方向に迅速かつ確実に設定することができる。
【００５０】
例えば、ユーザは、注目する繊維状粒子の分散色を観察する場合、まず、銘板６３を見ながらダイアル６２を回転させ、その繊維状粒子の伸張方向と平行な矢印を目盛り６４ａの指標ｉ３に合わせる。これにより、ユーザは、アナライザ２８の偏光方向を、繊維状粒子の伸張方向と平行な方向に迅速かつ確実に設定し、そのときの分散色を観察することができる。次に、ユーザは、銘板６３を見ながらダイアル６２を回転させ、指標ｉ３に合わせている矢印とダイアル６２の中心を介して対向する位置にあり、その矢印と直交する矢印を指標ｉ３に合わせる。これにより、ユーザは、アナライザ２８の偏光方向を、繊維状粒子の伸張方向と直交する方向に迅速かつ確実に設定し、そのときの分散色を観察することができる。
【００５１】
なお、アナライザ２８の偏光方向を、繊維状粒子の伸張方向と平行な方向と垂直な方向の２方向に、より迅速に切り替えることができるように、本実施の形態では、円盤状のダイアル６２の中心点（対称軸）を通って、ある方向を示す矢印とその方向に対して垂直方向を示す矢印とを線分で結ぶようにして、対応関係を図示している。すなわち、互いに直交する方向を示す２つの矢印(例えば、矢印６３ａと矢印６３ｅ、矢印６３ｂと矢印６３ｆ、矢印６３ｃと矢印６３ｇ、矢印６３ｄと矢印６３ｈ)を結ぶ線分が銘板６３に表示されている。これにより、測定に必要な２方向が特定しやすくなる。特に、アナライザ２８の回転に対して、ダイアル６２の回転量を２倍にしたことと相まって、測定に必要な２方向が分かりやすく示され、設定が容易になる。
【００５２】
ところで、この線分で結ぶ以外にも、ある方向を示す矢印とその方向に対して垂直な方向を示す矢印を同じ色で表示し、他の方向を示す矢印とその方向に対して垂直な方向を示す矢印とは異なる色で表示することでも、同様な効果が得られる。換言すれば、互いに直交する方向を示す矢印のペアを同じ色で表示し、かつ、ペア毎に異なる色で矢印を表示するようにすることでも、同様な効果が得られる。
【００５３】
なお、矢印の代わりに、例えば線分などの一方向に長い図形により、ダイアル６２の回転方向の位置に対応して設定されるアナライザ２８の偏光方向を示すようにしてもよい。
【００５４】
また、ダイアル６２の上面ではなく本体部６１のダイアル６２の周辺に、アナライザ２８の偏光方向を示す矢印などの図形を表示し、ダイアル６２の上面にその図形を指し示す図形（例えば、矢印など）を表示することにより、ダイアル６２の回転方向の位置に対応して設定される偏光方向を示すようにしてもよい。
【００５５】
さらに、図３に示される例のようにアナライザ２８の光軸とダイアル６２の回転軸とが必ずしも平行に配置される必要はない。例えば、ダイアル６２の回転軸がアナライザ２８の光軸に対して垂直になるように、本体部５１の側面（図３において見えている本体部５１の面に対して垂直な面）にダイアル６２を設け、ダイアル６２を回転軸回りに回転させることにより、アナライザ２８を光軸回りに回転させるようにすることが考えられる。
【００５６】
図４は、アナライザ２８を備えるアナライザ装置の第２の実施の形態を上から見た外観図である。
【００５７】
図４のアナライザ装置１０１の本体部１１１は、図３のアナライザ装置５１の本体部６１と同じ形状を有している。すなわち、本体部１１１において、本体部６１の開口部６１ａに対応する位置に開口部１１１ａが形成され、本体部６１のＶ溝６１ｃ乃至６１ｅに対応する位置に、Ｖ溝１１１ｃ乃至１１１ｅが形成されている。
【００５８】
また、本体部１１１において、本体部６１のアナライザ２８が設けられている位置に対応する位置にアナライザ２８が円周方向に回転自在に設けられ、本体部６１のダイアル６２が設けられている位置に対応する位置に、ダイアル６２の代わりにダイアル１１２が円周方向に回転自在に設けられている。
【００５９】
アナライザ２８とダイアル１１２とは、図示せぬベルト等により連接されており、ダイアル１１２を回転させると、アナライザ２８が同じ方向に回転する。また、アナライザ装置１０１では、アナライザ装置５１と異なり、アナライザ２８とダイアル１１２の回転角が一致し、ダイアル１１２の回転に伴い、ダイアル１１２と同じ角度だけアナライザ２８が回転する。換言すれば、ダイアル１１２が回転する角度と、ダイアル１１２の回転に伴いアナライザ２８が回転する角度とが一致する。
【００６０】
また、ダイアル１１２の上面（表面）には銘板１１３が貼付されている。銘板１１３には、アナライザ２８の偏光方向と一致するように矢印１１３ａが表示されている。すなわち、矢印１１３ａは、ダイアル１１２の回転方向の位置に対応して設定されるアナライザ２８の偏光方向を示している。
【００６１】
ユーザは、このアナライザ装置１０１を用いることにより、アナライザ装置５１を用いる場合と同様に、設定されているアナライザ２８の偏光方向を一目で把握することができるとともに、アナライザ２８の偏光方向を所望の方向に迅速かつ確実に設定することができる。
【００６２】
例えば、ユーザは、注目する繊維状粒子の分散色を観察する場合、まず、銘板１１３を見ながら、矢印１１３ａの向きがその繊維状粒子の伸張方向と平行になるように、ダイアル１１２を回転させる。これにより、ユーザは、アナライザ２８の偏光方向を、繊維状粒子の伸張方向と平行な方向に迅速かつ確実に設定し、そのときの分散色を観察することができる。次に、ユーザは、銘板１１３を見ながら、矢印１１３ａの向きが９０°回転するように、ダイアル１１２を回転させる。これにより、ユーザは、アナライザ２８の偏光方向を、繊維状粒子の伸張方向と直交する方向に迅速かつ確実に設定し、そのときの分散色を観察することができる。
【００６３】
なお、矢印１１３ａの代わりに、例えば線分などの一方向に長い図形により、アナライザ２８の偏光方向を示すようにしてもよい。
【００６４】
また、本発明の実施の形態は、対物レンズとして、無限遠に標本Ｓの像を形成する顕微鏡を例示したが、これだけに限られず、標本Ｓの像を有限位置に形成する分散対物レンズを用いてもよい。さらに、無限遠に標本Ｓの像を形成する対物レンズの場合、遮光リング２７と対物レンズが必ずしも一体となる必要はない。
【００６５】
なお、本発明の実施の形態は、上述した実施の形態に限定されるものではなく、本発明の要旨を逸脱しない範囲において種々の変更が可能である。
【図面の簡単な説明】
【００６６】
【図１】本発明を適用した光学顕微鏡の一実施の形態を模式的に示す全体構成図である。
【図２】本発明を適用した光学顕微鏡の一実施の形態の概略的な光路図である。
【図３】本発明を適用したアナライザ装置の第１の実施の形態を示す外観図である。
【図４】本発明を適用したアナライザ装置の第２の実施の形態を示す外観図である。
【符号の説明】
【００６７】
１  光学顕微鏡，  １５  試料ステージ，  １６  ステージ駆動部，  １８  分散対物レンズ，  ２１  光源，  ２４  リング絞り，  ２６  レンズ，  ２７  遮光リング，  ２８  アナライザ，  ２９  デポラライザ，  ３０  結像レンズ，  ５１  アナライザ装置，  ６１  本体部,  ６２  ダイアル,  ６３  銘板,  ６３ａ乃至６３ｈ  矢印,  ６４  銘板,  ６４ａ  目盛り,  １０１  アナライザ装置，  １１１  本体部,  １１２  ダイアル,  １１３  銘板,  １１３ａ  矢印
【図１】
2010066534.tif 000003
【図２】
2010066534.tif 000004
【図３】
2010066534.tif 000005
【図４】
2010066534.tif 000006